【手続補正書】
【提出日】平成19年1月15日(2007.1.15)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
少なくとも遊技機を制御する各基板を搭載するための枠部材と、
遊技球を発射する発射機に遊技球を供給し、また、賞品球を受ける上皿と、
前記上皿の裏側に設けられた上皿出口板金と
を備え、
前記枠部材は電気伝導性を有する材料から形成され、
前記各基板からのアース線が前記上皿出口板金に接続され、
前記上皿出口板金は、アース線を介して、前記枠部材の一カ所に集中して接続されており、
さらに、前記枠部材は、外部のグランドにアース接続されていることを特徴とする遊技機。
【請求項２】
賞球の数を制御する払出制御基板と、
賞球を供給するための払出ソレノイド金具と、
特別図柄始動電動役物を開閉するアクチュエータと、
大入賞口を開閉するアクチュエータと、
当該払出制御基板、当該払出ソレノイド金具及び前記各アクチュエータの少なくとも何れかからのアース線が接続される電源入力基板とを備え、
前記上皿出口板金と前記電源入力基板とがアース線で接続されていることを特徴とする請求項１に記載の遊技機。
【請求項３】
特別図柄始動電動役物を開閉するアクチュエータと、
大入賞口を開閉するアクチュエータと、
前記各アクチュエータの少なくとも何れかからのアース線が接続されるアース中継基板と、
当該アース中継基板からのアース線が接続される電源入力基板とを備え、
前記上皿出口板金と前記電源入力基板とがアース線で接続されていることを特徴とする請求項１に記載の遊技機。
【発明の詳細な説明】
【０００１】
【発明の属する技術分野】
本発明は、パチンコ機等の遊技機に関し、詳細には、各制御基板及び各機構からのアース線を集めて、グランドにアース接続した遊技機に関する。
【０００２】
【従来の技術】
従来、パチンコ機等の遊技機には、遊技機を制御する制御基板や各種の機構等が設けられている。そして、各制御基板や機構等ではそれぞれ静電気が発生するので、発生した静電気は外部のグランドにアース接続されて逃がされるようになっている。また、各制御基板や機構等にはそれぞれ個別にアース線が接続されており、それらのアース線が外部のグランドに接続されることにより、各制御基板や機構等で発生した静電気がグランドに逃がされるようになっていた。しかし、各制御基板や機構等全てをそれぞれ個別にグランドにアース接続すると、ノイズが大量に発生するため、一部の制御基板及び機構からのアース線を集めて電源入力基板に接続し、電源入力基板上の前記アース線と電源スイッチとの間にサージプロテクタを設け、それにより放電するという電源アースの方法が採られている。
【０００３】
【発明が解決しようとする課題】
しかしながら、上記の従来技術では、一部の各制御基板や各機構をそれぞれ個別に外部のグランドにアース接続するため、構成部品の点数が増えるという問題点があった。また、夏等の比較的静電気が発生しにくい季節は、電源アースでも十分に放電できるが、冬等の空気が乾燥して静電気が発生しやすい季節は、電源アースでは放電しきれなくなるので、各制御基板や各機構で多量のノイズが発生するという問題点があった。
【０００４】
本発明は、上記課題を解決するためになされたものであり、アースを集中して行うことにより、構成部品を削減でき、ノイズを低減できる遊技機を提供することを目的とする。
【０００５】
【課題を解決するための手段】
上記目的を達成するために、請求項１に係る発明の遊技機は、少なくとも遊技機を制御する各基板を搭載するための枠部材と、遊技球を発射する発射機に遊技球を供給し、また、賞品球を受ける上皿と、前記上皿の裏側に設けられた上皿出口板金とを備え、前記枠部材は電気伝導性を有する材料から形成され、前記各基板からのアース線が前記上皿出口板金に接続され、前記上皿出口板金は、アース線を介して、前記枠部材の一カ所に集中して接続されており、さらに、前記枠部材は、外部のグランドにアース接続されていることを特徴とする構成となっている。
【０００６】
この構成の遊技機では、少なくとも遊技機を制御する各基板を搭載するための枠部材は電気伝導性を有し、各基板からのアース線が上皿の裏側に設けられた上皿出口板金に接続され、当該上皿出口板金は、アース線を介して、枠部材の一カ所に集中して接続されており、枠部材は外部のグランドにアース接続されている。これにより、各基板からのアース線は、上皿の裏側に設けられた上皿出口板金及び枠部材を介して外部のグランドにアース接続され、各基板を個別に外部のグランドにアース接続をする必要が無いので、各基板で発生するノイズを低減することができ、また部品点数を削減することができる。
【０００７】
また、請求項２に係る発明の遊技機では、請求項１に記載の発明の構成に加えて、賞球の数を制御する払出制御基板と、賞球を供給するための払出ソレノイド金具と、特別図柄始動電動役物を開閉するアクチュエータと、大入賞口を開閉するアクチュエータと、当該払出制御基板、当該払出ソレノイド金具及び前記各アクチュエータの少なくとも何れかからのアース線が接続される電源入力基板とを備え、前記上皿出口板金と前記電源入力基板とがアース線で接続されていることを特徴とする。
【０００８】
この構成の遊技機では、請求項１に記載の発明の作用に加えて、払出制御基板、払出ソレノイド金具及び各アクチュエータの少なくとも何れかからのアース線が電源入力基板に接続され、前記上皿出口板金と電源入力基板とがアース線で接続されている。
【０００９】
また、請求項３に係る発明の遊技機では、請求項１に記載の発明の構成に加えて、特別図柄始動電動役物を開閉するアクチュエータと、大入賞口を開閉するアクチュエータと、前記各アクチュエータの少なくとも何れかからのアース線が接続されるアース中継基板と、当該アース中継基板からのアース線が接続される電源入力基板とを備え、前記上皿出口板金と前記電源入力基板とがアース線で接続されている。
【００１０】
この構成の遊技機では、請求項１に記載の発明の作用に加えて、特別図柄始動電動役物を開閉するアクチュエータと、大入賞口を開閉するアクチュエータの少なくとも何れかからのアース線がアース中継基板に接続され、当該アース中継基板からのアース線が電源入力基板に接続され、前記上皿出口板金と前記電源入力基板とがアース線で接続されている。
【００１１】
【００１２】
【００１３】
【発明の実施の形態】
以下、本発明の一実施の形態について図面を参照して説明する。まず、パチンコ機１の機械的構成について、図面を参照して説明する。図１はパチンコ機１の正面図であり、図２はパチンコ機１の背面図であり、図３はパチンコ機１の背面の拡大図である。図１及び図２に示すように、パチンコ機１は、上下壁８ａ，８ｂと左右側壁８ｃ，８ｄとから構成された略長方形の木製の外枠８を備えており、外枠８の表側（正面側）の上半分の部分には、略正方形の遊技盤２が設けられ、遊技盤２には、ガイドレール３で囲まれた略円形の遊技領域４が設けられている。また、パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には発射ハンドル７が設けられ、上皿５と下皿６との間には、スピーカー２８が設けられている。
【００１４】
また、遊技盤２に設けられた遊技領域４の略中央には、液晶画面を備えた特別図柄表示装置１８が設けられている。この特別図柄表示装置１８には、図示外の第１図柄停止部、第２図柄停止部、第３図柄停止部及び普通図柄表示部が設けられており、普通図柄表示部には、一桁の数字や一文字のアルファベット等の図柄を表示できるようになっている。また、特別図柄表示装置１８の下側には、特別図柄始動電動役物１５が設けられており、その特別図柄始動電動役物１５の下方には、大入賞口１６が設けられている。
【００１５】
次に、図２及び図３を参照して、パチンコ機１の背面の構造について説明する。図２に示すように、外枠８には、電気伝導性を有する金属で形成された枠部１０が設けられており、枠部１０は、外枠８に対応して上下枠部１０ａ，１０ｂと左右枠部１０ｃ，１０ｄとから構成され、本請求項で言う枠部材に該当する。そして、枠部１０の左枠部１０ｃには、遊技盤２の前面を透視可能に覆う上フレーム９が回動可能に保持されており、枠部１０は、外枠８と上フレーム９とによって挟み込まれるようになっている。また、外枠８の裏側（背面側）には、パチンコ機１を制御するための複数の制御基板及び機構が設けられており、それらの制御基板及び機構は、枠部１０に搭載されるようになっている。
【００１６】
さらに、パチンコ機１の背面の上部には、背面の上部を覆う本体カバー（図示外）が設けられており、パチンコ機１の背面の本体カバー下方には、右側に配設された電源基板（図示外）を覆う電源基板表カバー３１及び配線（図示外）を覆う配線カバー３２が設けられている。また、電源基板には、交流２４Ｖが供給されており、図示外のシリコンダイオードブリッジからなる整流器、電解コンデンサからなる平滑回路、レギュレータＩＣからなる安定化回路等が設けられている。そして、安定化された直流の１２Ｖ及び５Ｖ等を供給できるようになっている。
【００１７】
また、電源基板（図示外）の左側にはパチンコ機１の音制御を司る音基板（図示外）が配設されており、その音基板を覆う音基板表カバー３３が電源基板表カバー３１及び配線カバー３２の左側に隣接して設けられている。さらに、音基板（図示外）の左側にはパチンコ機１の主制御を司る主基板（図示外）が配設されており、その主基板を覆う主基板表カバー３４が音基板表カバー３３の左側に隣接して設けられている。また、枠部１０の右枠部１０ｄには、上下方向に並んだ２つの回動軸５１，５２が設けられており、本体カバー（図示外）は、この２つの回動軸５１，５２に回動可能に保持されている。また、パチンコ機１の背面の左枠部１０ｃ側には、ケースレール横板金１７が左枠部１０ｃと略平行になるように設けられており、ケースレール横板金１７には、閉じた状態の本体カバーの右側端部（図２での）が当接するようになっている。
【００１８】
また、図２及び図３に示すように、パチンコ機１の背面には、払出制御基板１４や発射制御基板１７等の制御基板、及び特別図柄始動電動役物１５（図１参照）を開閉させるアクチュエータ（図示外）等の機構が設けられている。また、枠部１０の左枠部１０ｃは、上下方向に長手の略長方形形状を有し、上下方向に均等に略小判型の貫通孔４１〜４３が穿設されている。そして、下側の貫通孔４３の下部には、上下に並んで合成樹脂製の２つのアースコネクタ２０，２１が設けられている。上側のアースコネクタ２０には、アース線１１が接続されており、アース線１１は、左枠部１０ｃの長手方向と略平行な状態で、その末端部が外部のグランド５０にアース接続されている。また、下側のアースコネクタ２１には、後述する上皿出口板金２５からのアース線３５が接続されており、アース線３５は、左枠部１０ｃとアースコネクタ２０とアース線１１とを介して、外部のグランド５０にアース接続されるようになっている。
【００１９】
また、パチンコ機１の背面の左枠部１０ｃの下端部近傍には、パチンコ機１の大当たり時の賞球の数を制御する払出制御基板１４が配設されている。払出制御基板１４には、払出制御基板１４で発生した静電気をグランド５０へ逃がすためのアース線２４が接続されている。また、上枠部１０ａの図３での右側には、電源入力基板２２が配設されており、電源入力基板２２には、パチンコ機１に設けられた制御基板及び機構等からの、アース線の末端に設けられたコネクタを保持するための４つのコネクタ保持部２２ａ〜２２ｄが、上下に並んで設けられている。
【００２０】
そして、アース線２４は、電源入力基板２２に、左枠部１０ｃの長手方向と略平行な状態で接続されることになる。詳細には、アース線２４の末端に設けられたコネクタ２４ａが、電源入力基板２２に設けられた４つのコネクタ保持部２２ａ〜２２ｄの内、最も上側のコネクタ保持部２２ａに嵌合して、アース線２４は電源入力基板２２に接続されるようになっている。
【００２１】
さらに、パチンコ機１の背面の払出制御基板１４の上方には、大当たり時に賞球を供給するための払出ソレノイド金具１９が設けられている。払出ソレノイド金具１９には、払出ソレノイド金具１９で発生した静電気をグランド５０へ逃がすためのアース線２９が接続されている。アース線２９は、前述のケースレール横板金１７に接続された後、ケースレール横板金１７に設けられたアース線３９によって電源入力基板２２に接続されることになる。詳細には、アース線３９の末端に設けられたコネクタ３９ａが、電源入力基板２２に設けられた４つのコネクタ保持部２２ａ〜２２ｄの内、最も下側のコネクタ保持部２２ｄに嵌合して、アース線３９は電源入力基板２２に接続されるようになっている。
【００２２】
また、パチンコ機１の背面の略中心部には、上下に３つ並んだコネクタ保持部２３ａ，２３ｂ，２３ｃを備えたアース中継基板２３が設けられている。また、特別図柄始動電動役物１５及び大入賞口１６（図１参照）の各々の背面には、それぞれを開閉させるアクチュエータ（図示外）が設けられている。そして、アース中継基板２３には、各アクチュエータで発生した静電気をグランド５０へ逃がすために、特別図柄始動電動役物１５及び大入賞口１６の各々のアクチュエータに設けられたアース線４５，４６が、それぞれ接続されるようになっている。詳細には、アース線４５の末端に設けられたコネクタ４５ａが、アース中継基板２３に設けられた３つのコネクタ保持部２３ａ〜２３ｃの内、真ん中のコネクタ保持部２３ｂに嵌合してアース線４５がアース中継基板２３に接続されるようになっており、アース線４６の末端に設けられたコネクタ４６ａが、アース中継基板２３に設けられた３つのコネクタ保持部２３ａ〜２３ｃの内、下側のコネクタ保持部２３ｃに嵌合してアース線４６がアース中継基板２３に接続されるようになっている。そして、各アクチュエータで発生した静電気は、一旦アース中継基板２３に集められることになる。
【００２３】
さらに、アース中継基板２３には、アース中継基板２３と電源入力基板２２とをつなぐためのアース線４４が接続されている。アース線４４は、その末端に設けられたコネクタ４４ａがアース中継基板２３のコネクタ保持部２３ａに嵌合することでアース中継基板２３に接続されるようになっている。そして、アース線４４のもう一方の末端に設けられたコネクタ４４ｂが、電源入力基板２２に設けられたコネクタ保持部２２ｃに嵌合して、アース線４４が電源入力基板２２に接続されるようになっている。
【００２４】
また、発射ハンドル７の裏側（背面側）には、遊技球の発射を制御する発射制御基板１７が設けられている。そして、発射制御基板１７には、発射制御基板１７で発生した静電気をグランド５０へ逃がすためのアース線２７が接続されている。また、下皿６の裏側の左右略中央部には金属製の下皿出口板金２６が、上皿５の裏側の図２での右側には金属製の上皿出口板金２５がそれぞれ設けられている。そして、アース線２７は下皿出口板金２６に接続された後、下皿出口板金２６に設けられたアース線３７により上皿出口板金２５に接続されている。さらに、上皿出口板金２５にはアース線３５が接続されており、アース線３５は左枠部１０ｃに設けられたアースコネクタ２１に接続されている。従って、発射制御基板１７で発生した静電気は、アース線２７と下皿出口板金２６とアース線３７、さらに上皿出口板金２５とアース線３５とアースコネクタ２０，２１とアース線１１とを介して、グランド５０に逃がされることになる。
【００２５】
また、上皿出口板金２５には、上皿出口板金２５と電源入力基板２２とを接続するためのアース線３８が設けられている。アース線３８の末端にはコネクタ３８ａが設けられており、コネクタ３８ａが電源入力基板２２に設けられたコネクタ保持部２２ｂに嵌合することで、アース線３８が電源入力基板２２に接続されることになる。また、電源入力基板２２のコネクタ保持部２２ａ〜２２ｄは、それぞれが基板上でつながっているため、払出制御基板１４及び払出ソレノイド金具１９、また特別図柄始動電動役物１５及び大入賞口１６のアクチュエータ（図示外）で発生した静電気は、電源入力基板２２に集められ、アース線３８と上皿出口板金２５とアース線３５、さらにアースコネクタ２１及びアースコネクタ２０とアース線１１とを介して、グランド５０に逃がされることになる。
【００２６】
さらに、電源入力基板２２の左右中央の上部には、電源スイッチ５１が設けられている。また、電源スイッチ５１の下方には、左側にコネクタ保持部５２が、右側にコネクタ保持部５３が、それぞれ横方向に並んで設けられている。そして、コネクタ保持部５２には、図示外の電源基板に接続される導線の末端に設けられたコネクタが嵌合し、コネクタ保持部５３には、図示外の直流２４Ｖのコンセントに接続される導線の末端に設けられたコネクタが嵌合することになる。また、電源スイッチ５１とコネクタ保持部２２ａ〜２２ｄとの間には、サージプロテクタ５５が設けられている。このサージプロテクタ５５により、サージ電圧が１４０Ｖを超えると、サージ電流が図示外の直流２４Ｖのコンセント方向に逃がされるようになっており、これは電源アースと呼ばれる放電の方法である。従って、静電気の一部は、この電源アースにより放電され、電源アースで放電しきれなかった静電気が、上皿出口板金２５やアースコネクタ２１及びアースコネクタ２０等を介してグランドに逃がされることになる。
【００２７】
以上説明したように、本実施の形態の遊技機では、特別図柄始動電動役物１５のアクチュエータ（図示外）及び大入賞口１６のアクチュエータ（図示外）で発生した静電気は、各々のアクチュエータに接続されたアース線４５，４６により、アース中継基板２３に一旦集められ、その後、アース線４４により電源入力基板２２に集められる。そして、電源入力基板２２に集められた静電気の一部は、電源アースにより放電され、電源アースで放電しきれなかった静電気は、払出制御基板１４で発生した静電気、払出ソレノイド金具１９で発生した静電気、及び発射制御基板１７で発生した静電気と共に上皿出口板金２５に集められ、アース線３５とアースコネクタ２１と左枠部１０ｃとアースコネクタ２０とアース線１１とを介して、グランド５０に逃がされるようになっている。
【００２８】
従って、電源アースで放電しきれなかった静電気を上皿出口板金２５に集め、電源アースと併用することにより、各制御基板及び機構で発生した静電気は、そのほとんどが放電されることになる。また、各々の制御基板及び機構で発生した静電気は集中してアースされることになるので、発生するノイズを低減させることができる。また、それぞれの制御基板及び機構で個別にアースを行う必要が無いので、構成部品を削減することができる。
【００２９】
次に、それぞれの制御基板及び機構で個別にアースを行った時に比べ、一点アースにしたことによりノイズが低減されたことを、図４及び図５を参照して説明する。ここで、図４は、パチンコ機１の各制御基板及び機構を個別にグランドにアース接続した状態において、電源基板（図示外）から直流５Ｖ電圧が供給された主基板（図示外）での電圧の測定値と時間との関係（上側）、及び払出制御基板１４での電圧の測定値と時間との関係（下側）を示すグラフである。また、図５は、各制御基板及び機構からのアース線を集めて、一点でグランドにアース接続した状態において、電源基板（図示外）から直流５Ｖ電圧が供給された主基板（図示外）での電圧の測定値と時間との関係（上側）、及びリセット信号が発生した際の主基板（図示外）での電圧の測定値と時間との関係（下側）を示すグラフである。何れの図についても、横軸に時間ｎｓ（ナノ秒）を、縦軸に電圧の測定値Ｖ（ボルト）をとっている。また、横軸では１升が１００ｎｓとなっており、縦軸では１升が２Ｖとなっている。
【００３０】
各制御基板及び機構を個別にグランドにアース接続した状態では、図４に示すように、主基板での電圧の測定値及び払出制御基板１４での電圧の測定値は、ある時点からは、定格値の５Ｖを著しく上回った値と下回った値とを交互にとり、その波形は上下に激しく振れた形になっている。その後、各々の電圧の測定値は、何れも時間の経過と共に定格値の５Ｖに近づいている。従って、各制御基板及び機構を個別にグランドにアース接続した状態では、主基板でノイズが多量に発生することになる。
【００３１】
また、各制御基板及び機構からのアース線を集めて、一点でグランドにアース接続した状態では、図５に示すように、主基板（図示外）で検出された電圧の測定値及びリセット信号が発生した際の主基板（図示外）で検出された電圧の測定値は、定格値の５Ｖから離れることなくほぼ一定の値となっている。従って、各制御基板及び機構で発生した静電気を一カ所に集めて、一点でグランドにアース接続した状態では、主基板で発生するノイズの量が低減されることになる。
【００３２】
以上のことからも明らかなように、各々の制御基板及び機構で発生した静電気を一点でアースした場合には、各制御基板及び機構を個別にグランドにアース接続した場合に比べ、発生するノイズを低減することができる。また、この効果は他の制御基板及び機構についても同様に得ることができることは言うまでもない。
【００３３】
尚、本発明は各種の変形が可能である。例えば、本実施の形態では、枠部１０の内の左枠部１０ｃにアースコネクタ２０，２１を設け、アースコネクタ２０にアース線１１を接続して、該アース線１１をグランド５０にアース接続しているが、アースコネクタ２０，２１を設ける部位は左枠部１０ｃに限られるものではなく、上枠部１０ａや下枠部１０ｂ等でもよい。また、枠部１０は必ずしも金属製のものに限られず、カーボンファイバーや電気伝導性を持つ合成樹脂で形成されていてもよい。また、本実施の形態では、各制御基板及び機構で発生した静電気を、アース線とアース中継基板及び電源入力基板と上皿出口板金とを介してグランドに逃がしているが、静電気を集めて一点アースをする方法は、この形態に限られず、例えば、各制御基板及び機構で発生した静電気を何れかの枠部に一度に集めて、そこからグランドに逃がす方法を用いてもよい。尚、本発明は、パチンコ機に限られず、パチコン機やパチスロ機等にも適用できることは言うまでもない。
【００３４】
【発明の効果】
以上説明したように、請求項１に係る発明の遊技機では、少なくとも遊技機を制御する各基板を搭載するための枠部材は電気伝導性を有し、各基板からのアース線が上皿の裏側に設けられた上皿出口板金に接続され、当該上皿出口板金は、アース線を介して、枠部材の一カ所に集中して接続されており、枠部材は外部のグランドにアース接続されている。これにより、各基板からのアース線は、上皿の裏側に設けられた上皿出口板金及び枠部材を介して外部のグランドにアース接続され、各基板を一つずつ外部のグランドにアース接続をする必要が無いので、各基板で発生するノイズを低減することができ、また部品点数を削減することができる。
【００３５】
また、請求項２に係る発明の遊技機では、請求項１に記載の発明の効果に加えて、払出制御基板、払出ソレノイド金具及び各アクチュエータの少なくとも何れかからのアース線が電源入力基板に接続され、前記上皿出口板金と電源入力基板とがアース線で接続されているので、払出制御基板、払出ソレノイド金具及び各アクチュエータを一つずつ外部のグランドにアース接続をする必要が無いので、払出制御基板、払出ソレノイド金具及び各アクチュエータで発生するノイズを低減することができ、且つ部品点数を削減することができる。従って、電源アースで放電しきれなかった静電気を上皿出口板金に集め、電源アースと併用することにより、払出制御基板、払出ソレノイド金具及び各アクチュエータで発生した静電気は、そのほとんどが放電されることになる。また、払出制御基板、払出ソレノイド金具及び各アクチュエータで発生した静電気は集中してアースされることになるので、発生するノイズを低減させることができる。
【００３６】
また、請求項３に係る発明の遊技機では、請求項１に記載の発明の効果に加えて、特別図柄始動電動役物を開閉するアクチュエータと、大入賞口を開閉するアクチュエータの少なくとも何れかからのアース線がアース中継基板に接続され、当該アース中継基板からのアース線が電源入力基板に接続され、前記上皿出口板金と前記電源入力基板とがアース線で接続されているので、特別図柄始動電動役物を開閉するアクチュエータと、大入賞口を開閉するアクチュエータを一つずつ外部のグランドにアース接続をする必要が無いので、当該各アクチュエータで発生するノイズを低減することができ、且つ部品点数を削減することができる。従って、電源アースで放電しきれなかった静電気を上皿出口板金に集め、電源アースと併用することにより、各アクチュエータで発生した静電気は、そのほとんどが放電されることになる。また、各アクチュエータで発生した静電気は集中してアースされることになるので、発生するノイズを低減させることができる。
【図面の簡単な説明】
【図１】
図１は、パチンコ機１の正面図である。
【図２】
図２は、パチンコ機１の背面図である。
【図３】
図３は、パチンコ機１の背面の拡大図である。
【図４】
図４は、パチンコ機１の各制御基板及び機構を個別にグランドにアース接続した状態において、主基板での電圧の測定値と時間との関係（上側）、及び払出制御基板１４での電圧の測定値と時間との関係（下側）を示すグラフである。
【図５】
図５は、各制御基板及び機構からのアース線を集めて一点でグランドにアース接続した状態において、主基板での電圧の測定値と時間との関係（上側）、及びリセット信号が発生した際の主基板での電圧の測定値と時間との関係（下側）を示すグラフである。
【符号の説明】
１    パチンコ機
１０    枠部
１０ａ  上枠部
１０ｂ  下枠部
１０ｃ  左枠部
１０ｄ  右枠部
１１    アース線
１４    払出制御基板
１７    ケースレール横板金
１９    払出ソレノイド
２０    アースコネクタ
２１    アースコネクタ
２２    電源入力基板
２３    アース中継基板
２４    アース線
２５    上皿出口板金
２６    下皿出口板金
２７，２９    アース線
３５，３７    アース線
４５，４６    アース線
５０    グランド